(57)【要約】【課題】再起動後に、従来よりも短時間で携帯端末との通信を開始することが出来るものを提供することを目的とする。【解決手段】時分割多元接続方式によって携帯端末と通信し、レイヤ１処理部が、基準クロック信号発生部から入力される基準クロック信号に基づいて、時分割多元接続方式におけるタイミングの同期を維持すると共にレイヤ１における信号伝送制御処理を実行する基地局であって、再起動を実行する際に、レイヤ１処理部及び基準クロック信号発生部は再起動する必要がないと判断すると、制御チャネルの送受信に使用しているタイムスロットの確保を維持する旨の指示を前記レイヤ１処理部へ通知する制御部を具備し、前記レイヤ１処理部は、前記指示を受け付けると、基準クロック信号発生部から入力される基準クロック信号に基づいて、制御チャネルの送信に使用しているタイムスロットを隣接の基地局が受信可能な信号強度以上に設定した信号を送信する。【選択図】図４
2010016480.tif 000002
【特許請求の範囲】
【請求項１】
時分割多元接続方式によって携帯端末と通信し、レイヤ１処理部が、基準クロック信号発生部から入力される基準クロック信号に基づいて、時分割多元接続方式におけるタイミングの同期を維持すると共にレイヤ１における信号伝送制御処理を実行する基地局であって、
再起動を実行する際に、レイヤ１処理部及び基準クロック信号発生部は再起動する必要がないと判断すると、制御チャネルの送受信に使用しているタイムスロットの確保を維持する旨の指示を前記レイヤ１処理部へ通知してレイヤ１処理部及び基準クロック信号発生部以外の各部の再起動を実行する制御部を具備し、
前記レイヤ１処理部は、前記指示を受け付けると、基準クロック信号発生部から入力される基準クロック信号に基づいて、制御チャネルの送信に使用しているタイムスロットを隣接の基地局が受信可能な信号強度以上に設定した信号を送信することを特徴とする基地局。
【請求項２】
前記レイヤ１処理部は、前記指示を受け付けると、前記基準クロック信号発生部から入力される基準クロック信号に基づいて、制御チャネルの送信に使用しているタイムスロットを隣接の基地局が受信可能な信号強度以上に設定すると共に当該タイムスロットにデジタル変調を行わない信号を送信することを特徴とする請求項１に記載の基地局。
【請求項３】
前記レイヤ１処理部は、制御チャネルの送信に使用しているタイムスロットにおけるデータシンボル、パイロットシンボル及びトレーニングのいずれか１つ、いずれか２つまたは全てを隣接の基地局が受信可能な信号強度以上に設定することを特徴とする請求項１または２に記載の基地局。
【請求項４】
時分割多元接続方式によって携帯端末と通信し、レイヤ１処理部が、基準クロック信号発生部から入力される基準クロック信号に基づいて、時分割多元接続方式におけるタイミングの同期を維持すると共にレイヤ１における信号伝送制御処理を実行する基地局における制御チャネル送受信タイミング維持方法であって、
再起動を実行する際に、レイヤ１処理部及び基準クロック信号発生部は再起動する必要がないと判断すると、制御チャネルの送受信に使用しているタイムスロットの確保を維持する旨の指示を前記レイヤ１処理部へ通知してレイヤ１処理部及び基準クロック信号発生部以外の各部の再起動を実行するステップと、
前記レイヤ１処理部は、前記指示を受け付けると、基準クロック信号発生部から入力される基準クロック信号に基づいて、制御チャネルの送信に使用しているタイムスロットを隣接の基地局が受信可能な信号強度以上に設定した信号を送信するステップとを、
具備することを特徴とする送受信タイミング維持方法。
【発明の詳細な説明】
【技術分野】
【０００１】
本発明は、基地局及び制御チャネル送受信タイミング維持方法に関する。
【背景技術】
【０００２】
現在、携帯電話機またはＰＨＳ（Personal Handy-phone System）端末等の携帯端末によって構成された無線通信システムには、多元接続方式として時分割多元接続（ＴＤＭＡ：Time Division Multiple Access）方式及び時分割複信（ＴＤＤ：Time Division Duplex）方式を採用するものが存在する。このような無線通信システムにおける基地局では、信号を伝送するキャリアを所定時間間隔のタイムスロットに分割し、各タイムスロットに割り当てた制御チャネルまたは通信チャネルによって携帯端末と各種情報を送受信する。そして、基地局では、所定のタイミングのタイムスロットに制御チャネルを割り当てる際に、隣接する基地局と制御チャネルを割り当てるタイミングが重ならないように制御を行う。これは、隣接する基地局と同じタイミングのタイムスロットに制御チャネルを割り当てることによって、お互いの制御チャネル同士が干渉波となってしまい、携帯端末との通信を阻害する要因になるからである。
【発明の開示】
【発明が解決しようとする課題】
【０００３】
ところで、上記従来技術では、隣接した基地局と異なるタイミングのタイムスロットに制御チャネルを割り当てなければならない為、各種システム異常によるリセットの発生によって再起動を実施すると、隣接する基地局が制御チャネルの伝送に使用するものに重ならないタイムスロットを探索し、探索したタイムスロットに制御チャネルを割り当てるようにしなければならない。その為、上記従来技術において、リセットが発生すると、再起動しても携帯端末との通信を開始するまでに、制御チャネルをタイムスロットへ割り当てを行う処理時間が必要となってしまう。
【０００４】
また、このような上記従来技術では、制御チャネルをタイムスロットへの割り当てを行う前に、周囲の基地局とキャリアにおけるタイムスロットのタイミングを同期させなければならない。その為、携帯端末との通信を開始するまでに、制御チャネルをタイムスロットへ割り当てる処理を実行する時間に加えて、周囲の基地局とキャリアにおけるタイムスロットのタイミングを同期させる処理を実行する時間が必要となってしまう。ゆえに、上記従来技術では、リセットの発生による再起動後に、すぐに携帯端末との通信を開始することができないという問題が生じている。
【０００５】
本発明は、上述した事情を鑑みたものであり、再起動後に、従来よりも短時間で携帯端末との通信を開始することが出来るものを提供することを目的とする。
【課題を解決するための手段】
【０００６】
上記目的を達成するために、本発明では、基地局に係る第１の解決手段として、時分割多元接続方式によって携帯端末と通信し、レイヤ１処理部が、基準クロック信号発生部から入力される基準クロック信号に基づいて、時分割多元接続方式におけるタイミングの同期を維持すると共にレイヤ１における信号伝送制御処理を実行する基地局であって、再起動を実行する際に、レイヤ１処理部及び基準クロック信号発生部は再起動する必要がないと判断すると、制御チャネルの送受信に使用しているタイムスロットの確保を維持する旨の指示を前記レイヤ１処理部へ通知してレイヤ１処理部及び基準クロック信号発生部以外の各部の再起動を実行する制御部を具備し、前記レイヤ１処理部は、前記指示を受け付けると、基準クロック信号発生部から入力される基準クロック信号に基づいて、制御チャネルの送信に使用しているタイムスロットを隣接の基地局が受信可能な信号強度以上に設定した信号を送信するという手段を採用する。
【０００７】
本発明では、情報処理装置に係る第２の解決手段として、上記第１の解決手段において、前記レイヤ１処理部は、前記指示を受け付けると、前記基準クロック信号発生部から入力される基準クロック信号に基づいて、制御チャネルの送信に使用しているタイムスロットを隣接の基地局が受信可能な信号強度以上に設定すると共に当該タイムスロットにデジタル変調を行わない信号を送信するという手段を採用する。
【０００８】
本発明では、情報処理装置に係る第３の解決手段として、上記第１または第２の解決手段において、前記レイヤ１処理部は、制御チャネルの送信に使用しているタイムスロットにおけるデータシンボル、パイロットシンボル及びトレーニングのいずれか１つ、いずれか２つまたは全てを隣接の基地局が受信可能な信号強度以上に設定するという手段を採用する。
【０００９】
また、本発明では、制御チャネル送受信タイミング維持方法に係る第１の解決手段として、時分割多元接続方式によって携帯端末と通信し、レイヤ１処理部が、基準クロック信号発生部から入力される基準クロック信号に基づいて、時分割多元接続方式におけるタイミングの同期を維持すると共にレイヤ１における信号伝送制御処理を実行する基地局における制御チャネル送受信タイミング維持方法であって、再起動を実行する際に、レイヤ１処理部及び基準クロック信号発生部は再起動する必要がないと判断すると、制御チャネルの送受信に使用しているタイムスロットの確保を維持する旨の指示を前記レイヤ１処理部へ通知してレイヤ１処理部及び基準クロック信号発生部以外の各部の再起動を実行するステップと、前記レイヤ１処理部は、前記指示を受け付けると、基準クロック信号発生部から入力される基準クロック信号に基づいて、制御チャネルの送信に使用しているタイムスロットを隣接の基地局が受信可能な信号強度以上に設定した信号を送信するステップとを、具備するという手段を採用する。
【発明の効果】
【００１０】
本発明によれば、基地局が、時分割多元接続方式によって携帯端末と通信し、レイヤ１処理部が、基準クロック信号発生部から入力される基準クロック信号に基づいて、時分割多元接続方式におけるタイミングの同期を維持すると共にレイヤ１における信号伝送制御処理を実行する基地局であって、再起動を実行する際に、レイヤ１処理部及び基準クロック信号発生部は再起動する必要がないと判断すると、制御チャネルの送受信に使用しているタイムスロットの確保を維持する旨の指示をレイヤ１処理部へ通知してレイヤ１処理部及び基準クロック信号発生部以外の各部の再起動を実行する制御部を具備し、レイヤ１処理部は、指示を受け付けると、基準クロック信号発生部から入力される基準クロック信号に基づいて、制御チャネルの送信に使用しているタイムスロットを隣接の基地局が受信可能な信号強度以上に設定した信号を送信する。
【００１１】
このことにより、基地局は、制御チャネルを割り当てるスロットの探索する必要がなく、すぐに制御チャネルの送受信を開始することが出来る為、再起動後に、従来よりも短時間で携帯端末との通信を開始することが出来る。
さらに、基地局において、再起動中にも、レイヤ１処理部は、基準クロック信号発生部から入力される基準クロック信号に基づいて、タイミングの同期を維持している為、再起動後に、タイミングを同期させる処理を実行する必要がない為、さらに短時間で携帯端末との通信を開始することが出来る。
【発明を実施するための最良の形態】
【００１２】
以下、図面を参照して、本発明の一実施形態について説明する。本実施形態は、ＰＨＳ（Personal Handy-phone System）端末と通信する基地局に関する。
図１は、本実施形態に係る基地局Ａを備える無線通信システムを示す概略構成図である。図１に示すように、この無線通信システムは、基地局Ａ及びＰＨＳ端末Ｂから構成されている。
【００１３】
基地局ＡとＰＨＳ端末Ｂとは、直交周波数分割多元接続（ＯＦＤＭＡ：Orthogonal Frequency Division Multiple Access）方式に時分割多元接続（ＴＤＭＡ：Time Division Multiple Access）方式及び時分割複信（ＴＤＤ：Time Division Duplex）方式を組み合わせた通信方式で相互に通信する通信装置である。基地局Ａは、その他の基地局（図示略）と所定間隔をあけて離散的に配置されており、割り当てられたセルにおいてＰＨＳ端末Ｂと通信を行う。
ＰＨＳ端末Ｂは、基地局Ａと相互に信号を送受信することによって音声通信またはデータ通信を実行する。
【００１４】
周知のようにＯＦＤＭＡ方式とは、ＰＨＳ端末Ｂ及びその他のＰＨＳ端末（図示略）が直交関係にある全てのサブキャリアを共有し、２４のサブキャリアの集まりを１つのグループとして位置づけ、各ＰＨＳ端末に割り当てることによって多元接続を実現する技術である。本実施形態の無線通信システムでは、上記したＯＦＤＭＡ方式に、ＴＤＭＡ方式及びＴＤＤ方式をさらに組み合わせている。
【００１５】
つまり、サブキャリアの各グループをＴＤＭＡよって最小単位であるスロットに分割し、ＴＤＤによって４スロット毎に上り回線及び下り回線を切り替えている。図２は、本実施形態に係る基地局Ａによって構成される無線通信システムにおけるサブキャリアの各グループにおけるスロット示す模式図である。図２では、縦軸が周波数、横軸が時間を示している。図２に示すように、周波数方向における２８のサブキャリアのグループと、時間軸方向における４スロットとを掛け合わせた１１２個のスロットが上り回線及び下り回線にそれぞれ割り当てられる。
【００１６】
この無線通信システムでは、図２に示すように、サブキャリアのグループのうち周波数方向の一番端のグループ（図２の周波数方向における２８）を制御チャネルに割り当て、残りのサブキャリアのグループを通信チャネルに割り当てる。そして、基地局Ａは、制御チャネルに割り当てられているサブキャリアのグループ（図２の周波数方向における２８）におけるいずれかのスロットを使用して、制御チャネルをＰＨＳ端末Ｂと送受信する。なお、図２に示す斜線部のスロットが、基地局Ａに制御チャネルとして使用されていることにする。また、図２に示す各サブキャリアのグループが時間軸方向に各スロットとして分割された１つの単位をＰＲＵ（Physical Resource Units）と呼ぶことにする。
【００１７】
次に、制御チャネルにおけるＰＲＵの各サブキャリアのシンボルを、図３を参照して、説明する。図３は、本実施形態に係る基地局Ａの制御チャネルにおけるＰＲＵの各サブキャリアにおけるシンボルを示す模式図である。図３では、縦軸が周波数、横軸が時間を示している。図３に示すように、制御チャネルにおけるＰＲＵは、周波数方向における２４のサブキャリアによって構成されている。そして、制御チャネルにおけるＰＲＵの各サブキャリアは、時間軸方向に２１のシンボルに分割される。
【００１８】
すなわち、制御チャネルにおけるＰＲＵは、周波数方向における２４のサブキャリアと、時間軸方向における２１スロットを掛け合わせた５０１のシンボルによって構成されている。そして、図３に示すように、ＰＲＵにおける５０１のシンボルは、５種類のシンボル、すなわちデータシンボル、パイロットシンボル、トレーニングシンボル及びガードシンボル及びガードタイムによって構成されている。なお、図３では、無地のシンボルがデータシンボル、格子模様のシンボルがパイロットシンボル、斜線模様のシンボルがトレーニングシンボル、ドット模様のシンボルがガードシンボル及びガードタイムを示している。
【００１９】
上記データシンボルは、制御チャネルにおける基地局ＩＤ等のデータを送信するシンボルである。パイロットシンボルは、キャリア同期、振幅変動及び位相変動量の推定及び受信強度、干渉電力及び妨害電力の推定にＰＨＳ端末Ｂに使用されるシンボルである。トレーニングシンボルは、巡回的性質を有し、ＴＤＭＡ‐ＴＤＤ方式におけるタイミングを同期させる為にＰＨＳ端末Ｂに使用されるシンボルである。ガードシンボルは、隣接するサブキャリア同士の干渉を防ぐ為に設けられたシンボルである。
【００２０】
さらに、ガードタイムは、ＰＨＳ端末Ｂの位置の変化等にともなう信号の受信タイミングのずれによって発生するＰＲＵの重なりを防ぐ為に設けられたシンボルである。なお、通常時に、データシンボル、パイロットシンボル及びトレーニングシンボルは、所定のしきい値以上の信号強度を有し、デジタル変調された情報を伝送している。また、カードシンボル及びガードタイムは、データシンボル、パイロットシンボル及びトレーニングシンボルよりも格段に低い信号強度に設定されている。
【００２１】
次に、基地局Ａの機能構成を、図４を参照して説明する。図４は、本実施形態に係る基地局Ａの機能構成を示す機能ブロック図である。基地局Ａは、図４に示すように、無線通信部１、有線通信Ｉ／Ｆ部２、制御部３から構成されている。そして、無線通信部１は、レイヤ１処理部１ａ、レイヤ２処理部１ｂ及び基準クロック信号発生部１ｃから構成されている。
レイヤ１処理部１ａは、アンテナを介してＰＨＳ端末Ｂへ送信する送信信号のデジタル変調処理、アンテナを介してＰＨＳ端末Ｂから受信する受信信号のデジタル復調処理、通信品質の検出等のレイヤ１（物理層）における信号伝送制御処理を実行する。
レイヤ２処理部１ｂはＡＲＱ（automatic repeat request）制御（自動再送制御）等のレイヤ２（データリンク層）における信号伝送制御処理を行う。
【００２２】
基準クロック信号発生部１ｃは、交換局（図示略）から有線通信Ｉ／Ｆ部２を介して入力される同期用のクロック信号を分周することによって基準クロック信号を生成し、レイヤ１処理部１ａへこの基準クロック信号を出力する。そして、レイヤ１処理部１ａは、この基準クロック信号に基づいて、その他の基地局（図示略）とのＴＤＭＡ‐ＴＤＤ方式におけるタイミングの同期を計る。なお、交換局から有線通信Ｉ／Ｆ２部が受信する同期用のクロック信号は、ＴＤＭＡ‐ＴＤＤ方式におけるタイミングの同期を目的とするものであり、基地局Ａ及びその他の基地局（図示略）に対して常に供給される信号である。
【００２３】
有線通信Ｉ／Ｆ部２は、その他の基地局（図示略）及び交換局等と有線によって接続する為のインタフェースであり、制御部３の制御の下、制御信号及び音声信号等の各種信号を交換局と送受信するすると共に交換局から同期用のクロック信号を受信する。そして、この有線通信Ｉ／Ｆ部２は、同期用のクロック信号を基準クロック信号発生部１ｃへ出力し、音声信号等を制御部３へ出力する。
【００２４】
制御部３は、ＣＰＵ（Central Processing Unit）、ＲＯＭ（Read Only Memory）及びＲＡＭ（Random Access Memory）から構成される内部メモリ並びに上記無線通信部１、通有線通信Ｉ／Ｆ部２と信号の入出力をそれぞれ行うインタフェース回路等から構成されており、上記ＲＯＭに記憶された制御プログラム、無線通信部１と有線通信Ｉ／Ｆ部２が受信する信号に基づいて基地局Ａの全体動作を制御する。なお、ＲＯＭに記憶されている制御プログラムは、制御チャネル送受信タイミング維持プログラムを備えており、制御部３はこの制御チャネル送受信タイミング維持プログラムに基づいて制御チャネル送受信タイミング維持処理を実行する。なお、制御部３が実行する制御処理の詳細については、以下に基地局Ａの動作として説明する。
【００２５】
次に、上記構成の基地局Ａの動作について図５を参照して説明する。図５は、本実施形態に係る基地局Ａの動作を示すフローチャートである。
制御部３は、リセットによる再起動の要因となるシステム異常が基地局Ａにおける各部のいずれかに生じているか否か判定し（ステップＳ１）、ステップＳ１において『ＮＯ』と判定した場合には、すなわちシステム異常が基地局Ａにおける各部のいずれかに生じていない場合には、ステップＳ１に移行し、ステップＳ１において『ＹＥＳ』と判定した場合には、すなわちリセットによる再起動の要因となるシステム異常が基地局Ａにおける各部のいずれかに生じている場合には、他の基地局へのハンドオーバ指示を自身のセルに存在するＰＨＳ端末、すなわちＰＨＳ端末Ｂへ無線通信部１に送信させる（ステップＳ２）。
【００２６】
制御部３は、ステップＳ２の後に、リセットによる再起動の要因となるシステム異常が基準クロック信号発生部１ｃに生じているか否か判定し（ステップＳ３）、ステップＳ３において『ＹＥＳ』と判定した場合には、すなわちリセットによる再起動の要因となるシステム異常が基準クロック信号発生部１ｃに生じている場合には、レイヤ１処理部１ａ、レイヤ２処理部１ｂ、基準クロック信号発生部１ｃ、有線通信Ｉ／Ｆ部２及び制御部３を含む基地局Ａの全体の再起動、すなわち無線通信を完全に停止させた再起動を実行する（ステップＳ４）。
【００２７】
制御部３は、ステップＳ３において『ＮＯ』と判定した場合には、すなわちリセットによる再起動の要因となるシステム異常が基準クロック信号発生部１ｃに生じていない場合には、リセットによる再起動の要因となるシステム異常がレイヤ１処理部１ａに生じているか否か判定し（ステップＳ５）、ステップＳ５において『ＹＥＳ』と判定した場合には、すなわちリセットによる再起動の要因となるシステム異常がレイヤ１処理部１ａに生じている場合には、ステップＳ４において、基地局Ａの全体の再起動、すなわち無線通信を完全に停止させた再起動を実行する。
【００２８】
制御部３は、ステップＳ５において『ＮＯ』と判定した場合には、すなわちリセットによる再起動の要因となるシステム異常がレイヤ１処理部１ａに生じていない場合には、レイヤ１処理部１ａへ制御チャネル送受信タイミング維持指示を通知して（ステップＳ６）、レイヤ１処理部１ａ、基準クロック信号発生部１ｃ及び有線通信Ｉ／Ｆ部２以外のレイヤ２処理部１ｂ及び制御部３を含む基地局Ａの各部の再起動、すなわちを無線通信を完全に停止させない再起動を実行する（ステップＳ７）。
【００２９】
レイヤ１処理部１ａは、制御部３から制御チャネル送受信タイミング維持指示を受け付けると、基準クロック信号発生部１ｃから入力される基準クロック信号に基づいて、その他の基地局（図示略）とのＴＤＭＡ‐ＴＤＤ方式におけるタイミングの同期を継続し（ステップＳ８）、制御チャネルの送信に使用しているスロットのＰＲＵにおけるデータシンボル、パイロットシンボル及びトレーニングシンボルの信号強度を隣接の基地局が受信可能なレベル以上に設定すると共にデータシンボル、パイロットシンボル及びトレーニングシンボルにデジタル変調を行わない信号を送信する（ステップＳ９）。なお、ステップＳ９において、データシンボル、パイロットシンボル及びトレーニングシンボルにデジタル変調を行わないことによって、データシンボル、パイロットシンボル及びトレーニングシンボルは正弦波になる。
【００３０】
例えば、図２に示す斜線部のスロットを使用して制御チャネルを送信している場合に、ステップＳ８において、レイヤ１処理部１ａは、下り回線（送信）の斜線部のスロットのＰＲＵにおけるデータシンボル、パイロットシンボル及びトレーニングシンボルの信号強度を隣接の基地局が受信可能なレベル以上に設定する。このことにより、基地局Ａに隣接する基地局が、基地局Ａから送信された信号を受信して、図２に示す斜線部のスロットは制御チャネルの送受信に使用されていると認識する為、基地局Ａが再起動を実行している間も、このスロットが隣接する基地局によって制御チャネルの送受信に使用されない。
【００３１】
制御部３は、ステップＳ９の後に、再起動が完了すると、確保を維持したスロットを使用して通常の制御チャネルの送受信をレイヤ１処理部１ａに開始させる（ステップＳ１０）。
【００３２】
以上説明したように、基地局Ａにおいて、制御部３が、システム異常によってリセットによる再起動を実行しなければならない場合に、レイヤ１処理部及び基準クロック信号発生部１ｃの再起動の必要がないと判断すると、制御部３を含む各部が再起動を実行している間、レイヤ１処理部１ａに、基準クロック信号発生部１ｃから入力される基準クロック信号に基づいて、その他の基地局とのＴＤＭＡ‐ＴＤＤ方式におけるタイミングの同期を継続させ、さらに制御チャネルの送信に使用しているスロットのＰＲＵにおけるデータシンボル、パイロットシンボル及びトレーニングシンボルの信号強度を隣接の基地局が受信可能なレベル以上に設定すると共にデータシンボル、パイロットシンボル及びトレーニングシンボルにデジタル変調を行わない信号を送信させる。
【００３３】
このことによって、基地局Ａは、再起動後に制御チャネルを割り当てるスロットの探索する必要がなく、すぐに制御チャネルの送受信を開始することが出来る為、再起動後に、従来よりも短時間で携帯端末との通信を開始することが出来る。
さらに、基地局Ａにおいて、制御部３を含む各部の再起動中にも、レイヤ１処理部１ａは、基準クロック信号発生部１ｃから入力される基準クロック信号に基づいて、その他の基地局とのＴＤＭＡ‐ＴＤＤ方式におけるタイミングの同期を継続している為、再起動後に、その他の基地局とのＴＤＭＡ‐ＴＤＤ方式におけるタイミングを同期させる処理を実行する必要がない為、さらに短時間で携帯端末との通信を開始することが出来る。
【００３４】
以上、本発明の一実施形態について説明したが、本発明は上記実施形態に限定されることなく、例えば以下のような変形が考えられる。
（１）上記実施形態の基地局Ａにおいて、レイヤ１処理部１ａは、制御チャネルの送受信に使用するスロットを確保する為に、データシンボル、パイロットシンボル及びトレーニングシンボルの３つのシンボルを、隣接の基地局が受信可能なレベル以上の信号強度に設定したが、本発明はこれに限定されない。
例えば、データシンボル、パイロットシンボル及びトレーニングシンボルのいずれか１つ、またはいずれか２つのシンボルを、隣接の基地局が受信可能なレベル以上の信号強度に設定するようにしてもよい。
【００３５】
（２）上記実施形態の基地局Ａにおいて、再起動実行時に、レイヤ１処理部１ａは、制御チャネルの送受信に使用するスロットを確保する為に、データシンボル、パイロットシンボル及びトレーニングシンボルを、隣接の基地局が受信可能なレベル以上の信号強度に設定したが、本発明はこれに限定されない。
【００３６】
例えば、再起動実行時に、レイヤ１処理部１ａが送信する信号の信号強度が高い場合に、レイヤ１処理部１ａは、データシンボル、パイロットシンボル及びトレーニングシンボルの信号強度を制御チャネルの送受信に使用するスロットを確保することが出来る最低のレベル、すなわち隣接するその他の基地局が当該スロットは制御チャネルの送受信に使用されていると認識することが出来る最低のレベルまで下げるようにしてもよい。このことによって、ＰＨＳ端末Ｂは、再起動中の基地局Ａではなく、隣接するその他の基地局が送信する信号に基づいて、隣接するその他の基地局に接続し易くなる。
【図面の簡単な説明】
【００３７】
【図１】本発明の一実施形態に係る基地局Ａによって構成される無線通信システムを示す模式図である。
【図２】本発明の一実施形態に係る基地局Ａによって構成される無線通信システムにおけるサブキャリアの各グループにおけるスロット示す模式図である。
【図３】本発明の一実施形態に係る基地局Ａの制御チャネルにおけるＰＲＵの各サブキャリアにおけるシンボルを示す模式図である。
【図４】本発明の一実施形態に係る基地局Ａの機能構成を示す機能ブロック図である。
【図５】本発明の一実施形態に係る基地局Ａの動作を示すフローチャートである。
【符号の説明】
【００３８】
Ａ…基地局、Ｂ…ＰＨＳ端末、１…無線通信部、１ａ…レイヤ１処理部、１ｂ…レイヤ２処理部、１ｃ…基準クロック信号発生部、２…有線通信Ｉ／Ｆ部、３…制御部
【図１】
2010016480.tif 000003
【図２】
2010016480.tif 000004
【図３】
2010016480.tif 000005
【図４】
2010016480.tif 000006
【図５】
2010016480.tif 000007